(57)【特許請求の範囲】
【請求項１】
複写準備中に受けた複写開始指令を記憶し、複写準備が完了したときに前記複写開始指令により、設定された複写モードに基づく複写動作を開始する複写機用制御装置において、
前記複写開始指令が記憶されている場合に、前記複写準備中に前記複写モードの変更があったとき、前記複写開始指令を記憶したメモリから前記複写開始指令をクリアする制御手段を備えたことを特徴とする複写機用制御装置。
【請求項２】
複写準備中に受けた複写開始指令を記憶し、複写準備が完了したときに前記複写開始指令により、設定された複写モードに基づく複写動作を開始する複写機用制御装置において、
前記複写開始指令が記憶されている場合に、前記複写準備中に前記複写モードの変更があったとき、予め定めた所定の時間を設定するタイマと、
前記所定の時間が経過し、かつ、前記複写準備が完了するまでは複写動作を開始しないように制御する制御手段を備えたことを特徴とする複写機用制御装置。
【発明の詳細な説明】
【０００１】
【産業上の利用分野】
本発明は複写機用制御装置に関し、特に、複写準備中に受けた複写開始指令を記憶し、複写準備が完了したときに複写動作を開始する複写機用制御装置に関する。
【０００２】
【従来技術】
従来の複写機用制御装置として、例えば、特開平４−１０７４７２号公報に示されるものがある。この複写機用制御装置は、複写開始指令と複写モードの設定を記憶するメモリと、複写準備中に複写開始指令を受けたり、複写モードを設定されたときそれをメモリに記憶させ、複写準備が完了したときにそのメモリの記憶内容に基づいて複写動作を開始させる制御手段を有しており、更に、複写開始指令がメモリに記憶された後であっても複写準備中であれば、メモリに記憶された複写モードを変更できるモード変更手段を備えている。
【０００３】
この複写機用制御装置において、複写準備中（例えば、定着器が所定の温度に達する前、走査光学系が移動中）に複写開始を指令し、複写モードを設定すると、複写開始指令および複写モードがメモリに記憶され、複写準備が完了したとき、制御手段が設定された複写モードに基づいて複写動作を開始させる。また、複写開始指令と複写モードが既にメモリに記憶されていてもモード変更手段によって複写モードの変更、例えば、選択トレイの変更を行うと、複写準備が完了したとき変更された複写モードで複写動作が開始する。このようにして、複写機の操作性の向上が図られている。
【０００４】
【発明が解決しようとする課題】
しかし、従来の複写機用制御装置によると、例えば、スクロール方式で選択トレイの変更を行っているときに複写準備が完了すると、オペレータが希望するトレイでないスクロール途中のトレイから給紙された用紙に複写が行われることがあるため、ミス複写が行われる恐れがある。
【０００５】
従って、本発明の目的は複写準備中に受けた複写開始指令を記憶しているときに複写モードを変更しても、ミス複写を生じないようにした複写機用制御装置を提供することである。
【０００６】
【課題を解決するための手段】
本発明は上記の目的を実現するため、複写準備中に受けた複写開始指令を記憶し、複写準備が完了したときに前記複写開始指令により、設定された複写モードに基づく複写動作を開始する複写機用制御装置において、前記複写開始指令が記憶されている場合に、前記複写準備中に前記複写モードの変更があったとき、前記複写開始指令を記憶したメモリから前記複写開始指令をクリアする制御手段を備えたことを特徴とする複写機用制御装置を提供する。
【０００７】
更に、本発明は上記の目的を実現するため、複写準備中に受けた複写開始指令を記憶し、複写準備が完了したときに前記複写開始指令により、設定された複写モードに基づく複写動作を開始する複写機用制御装置において、前記複写開始指令が記憶されている場合に、前記複写準備中に前記複写モードの変更があったとき、予め定めた所定の時間を設定するタイマと、前記所定の時間が経過し、かつ、前記複写準備が完了するまでは複写動作を開始しないように制御する制御手段を備えたことを特徴とする複写機用制御装置を提供する。
【０００８】
【作用】
本発明の第１の特徴によると、複写準備中に複写開始を指令すると、その指令がメモリに記憶される。この状態で複写モードを変更すると、メモリから複写開始の指令がクリアされる。従って、複写準備が完了しても複写動作の開始はなく、改めて複写開始の指令を待つ。
【０００９】
また、本発明の第２の特徴によると、複写準備中に複写開始を指令すると、その指令がメモリに記憶される。この状態で複写モードを変更すると、予め定めた所定の時間がタイマに設定され、その所定の時間のカウントが開始する。そのカウント中は複写準備中と見なされ、複写動作の開始はない。そのカウントが終了し、かつ、現実に複写準備が完了したときにメモリの記憶された指令に基づいて複写動作が開始する。
【００１０】
【実施例】
以下、本発明の複写機用制御装置を詳細に説明する。
【００１１】
図１は本発明の一実施例を示し、複写機の操作パネル上に配置されたキー群１と、複写動作を制御する制御部２と、各種の動作のプログラムを記憶するＲＯＭ３と、複写準備中に受けた複写開始の指令を記憶するＲＡＭ４と、複写準備中に複写モードの変更があったとき予め定めた所定の時間を設定するタイマ５と、制御部２の制御を受けて複写動作を実行する複写動作部６と、複写動作部６の状態、特に、複写準備の完了を検出する状態検出部７を有する。
【００１２】
キー群１は複写開始の指令を入力するスタートキー１１と、複写枚数信号を入力する枚数キー１２と、給紙トレイ（図示せず）を選択するトレイ選択キー１３と、複写の縮倍率を設定する縮倍率キー１４等を有する。
【００１３】
複写動作部６は縮倍率に応じた位置を取り、原稿の読み取りと感光体露光を行う走査光学系６１と、露光を受けて静電潜像を形成する感光体ドラム６２と、静電潜像をトナー像とする現像機６３と、トナー像を用紙に転写する転写器６４と、用紙の転写像を定着する定着器６５等を有する。
【００１４】
以上の構成において、動作を説明する。
【００１５】
（イ）第１の動作（図２のフローチャート）
複写禁止状態でないとき（ステップ２１Ａ）、あるいは複写禁止状態が解除されたとき（ステップ２１Ｂ）、電源（図示せず）をオンすると、定着器６５のウォームアップがスタートし（ステップ２２）、状態検出部７の状態検出信号によって複写準備中の表示がディスプレイ（図示せず）に行われる。複写枚数、用紙サイズの選択、縮倍率等の複写モードが枚数キー１２、トレイ選択キー１３、縮倍率キー１４等の操作によって設定され、ＲＡＭ４にストアされる。縮倍率の設定によって走査光学系６１が所定の位置へ移動する（ステップ２３）。複写準備が完了する前（ウォームアップ中）にスタートキー１１をオンすると（ステップ２４）、複写開始の指令がＲＡＭ４にストアされる（ステップ２５）。このとき、複写モードの変更、例えば、トレイ選択キー１３によって用紙サイズを変更すると（ステップ２６）、トレイの選択変更が実行され（ステップ２７）、同時に、ＲＡＭ４から複写開始の指令がクリアされる（ステップ２８）。ここで、制御部２の制御はステップ２１Ａに戻り、状態検出部７によって定着器６５が所定の温度に達したこと、および走査光学系６１が移動を完了したことが検出され（ステップ２２，２３）、複写準備を完了したことがディスプレイに表示される。次に、スタートキー１１をオンすると（ステップ２９）、変更された複写モードで複写動作が実行される。
【００１６】
一方、ステップ２６で複写モードが変更されなかった場合、ステップ２７，２８を経ずしてステップ２１Ａに戻り、ステップ２２，２３，２９の「ＮＯ」を経てＲＡＭ４に記憶された複写開始の指令に基づいて（ステップ３０）複写動作が実行される。
【００１７】
言うまでもなく、通常の状態で複写モードを変更することは可能であり（ステップ３１，３２）、複写モード変更後ステップ２１Ａに戻る。
【００１８】
図３（イ），（ロ）は以上述べた動作を示すタイミングチャートであり、（イ）はＲＡＭ４にストアされた複写開始の指令に基づいて、複写準備が完了したときに複写動作を開始する制御を示しており、（ロ）はＲＡＭ４にストアされた複写開始の指令がモード変更によってクリアされたので、複写準備が完了した後、スタートキー１１をオンすることによって複写動作を開始する制御を示している。
【００１９】
（ロ）第２の動作（図４のフローチャート）
ステップ４１Ａ，４１Ｂからステップ５３の中でステップ４４およびステップ４９を除くと、図２のフローチャートと共通するので重複する説明を省略する。ステップ４９では、既に設定した複写モードがステップ４８で変更されると、タイマ５に所定の時間が設定され、その時間のカウントがスタートとする。そのカウントが所定の時間に達してタイマ５の設定時間が零になると（ステップ４４）、ＲＡＭ４に複写開始の指令がストアされているので、ステップ５０で「ＮＯ」が成立し、ステップ５１で「ＹＥＳ」が成立して複写動作を開始するように制御される。
【００２０】
図５は以上述べた動作のタイミングチャートを示しており、複写モードの変更が行われてからタイマ５に設定された所定の時間が経過し、かつ、複写準備が完了したとき、ＲＡＭ４にストアされた複写開始の指令に基づいて複写動作が開始する。従って、例えば、トレイ選択のスクロール動作が完了してから複写動作が開始するので、ミス複写を生じることはない。
【００２１】
以上述べた実施例では、例えば、以下の動作中に複写動作がスタートしてミス複写が生じるのを防止することができる。
（イ）トレイ選択のスクロール動作
（ロ）複写枚数のスクロール動作、または、テンキー入力動作
（ハ）縮倍率のスクロール動作
（ニ）キーの押し間違い
【００２２】
【発明の効果】
以上説明した通り、本発明の複写機用制御装置によると、複写開始指令が記憶されている場合に、複写準備中に変更があったときに、複写開始指令をクリアまたは所定の時間が経過するまで複写動作を禁止するようにしたので、ミス複写を防ぐことができる。
【００２３】
【図面の簡単な説明】
【図１】本発明の一実施例を示すブロック図
【図２】本発明の一実施例の第１の動作を示すフローチャート
【図３】（イ）は本発明の一実施例の第１の動作の第１の例を示すタイミングチャート
（ロ）は本発明の一実施例の第１の動作の第２の例を示すタイミングチャート
【図４】本発明の一実施例の第２の動作を示すフローチャート
【図５】本発明の一実施例の第２の動作を示すタイミングチャート
【符号の説明】
１，キー群
２，制御部
３，ＲＯＭ
４，ＲＡＭ
５，タイマ
６，複写動作部
７，状態検出部
１１，スタートキー
１２，枚数キー
１３，トレイ選択キー
１４，縮倍率キー
６２，感光体ドラム
６３，現像機
６４，転写器
６５，定着器
【図１】
0003570439.tif 000002
【図２】
0003570439.tif 000003
【図３】
0003570439.tif 000004
【図４】
0003570439.tif 000005
【図５】
0003570439.tif 000006